(57)【要約】【課題】  コンタクト及びカード接点を損傷させることなく、カードの挿入に要する力を小さくしながらカードの抜去に要する力を確実に大きくでき、カードの不用意な脱落を防止できる簡単な構成のカードコネクタを提供する。【解決手段】  カードコネクタ１は、略平板状に形成されたカード本体Ｃ１ａの先端にカード本体Ｃ１ａの下面から突出する鍔部Ｃ１ｂを有するカードＣ１が挿入されるとともに抜去されるカード受容スロット２０と、挿入されたカードＣ１のカード接点に接触するコンタクト１５を有するコネクタ部１０とを備えている。カード受容スロット２０の底部２１には、カード受容スロット２０内にカードＣ１が挿入されたときに、カードＣ１の鍔部Ｃ１ｂが乗り越える弾性突起２４が設けられている。【選択図】      図６
2006190612.tif 000002
【特許請求の範囲】
【請求項１】
略平板状に形成されたカード本体の先端に前記カード本体の下面から突出する鍔部を有するカードが挿入されるとともに抜去されるカード受容スロットと、挿入された前記カードのカード接点に接触するコンタクトを有するコネクタ部とを備えたカードコネクタであって、
前記カード受容スロットの底部に、前記カード受容スロット内に前記カードが挿入されたときに、前記カードの鍔部が乗り越える弾性突起を設けたことを特徴とするカードコネクタ。
【請求項２】
前記弾性突起は、前記カード受容スロットの底部から前記カードの挿入方向に進むにつれて緩やかに傾斜して立ち上がる第１傾斜面と、前記カード受容スロットの底部から前記カードの抜去方向に進むつれて前記第１傾斜面に比して急に傾斜して立ち上がる第２傾斜面とを有することを特徴とする請求項１記載のカードコネクタ。
【発明の詳細な説明】
【技術分野】
【０００１】
本発明は、カードの低挿入力及び高抜去力を可能としたカードコネクタに関する。
【背景技術】
【０００２】
カードの挿入に要する力を小さくしながらカードの抜去に要する力を大きくして、カードの挿入時の取り扱い性の向上とカードの保持力の強化によるコネクタの信頼性向上とを両立させたカードコネクタとして、従来、例えば、図７に示すものが知られている（特許文献１参照）。
図７に示したカードコネクタ１０１は、絶縁性のハウジング１１０と、ハウジング１１０に取り付けられた複数のコンタクト１２０とを備えている。
【０００３】
ハウジング１１０は、略矩形の厚板形に形成され、ハウジング１１０の厚さ方向に貫通するカード受容孔１１２を有している。カード受容孔１１２には、前側（図７における左側）から後側に向けてカードＣが挿入され、その反対方向にカードＣが抜去されるようになっている。そして、ハウジング１１０には、カード受容孔１１２からカードＣの挿抜方向と直交する方向に延びる複数のコンタクト収容通路１１１が形成されている。コンタクト収容通路１１１は、カード受容孔１１２を挟んで上下に対向して形成されている。
【０００４】
また、各コンタクト１２０は、ハウジング１１０のコンタクト収容通路１１１の側壁に固定される固定部１２１と、固定部１２１の一端から延びる湾曲部１２２と、湾曲部１２２の先端から延びる接触部１２３と、固定部１２１の他端から延びる接続部１２４とを具備し、金属板を打ち抜き及び曲げ加工することによって形成されている。固定部１２１は、コンタクト収容通路１１１の側壁の後端部分に圧入固定されている。湾曲部１２２は、固定部１２１の一端から一旦斜め前方に延びてから折り返されて斜め後方に延びている。接触部１２３は、湾曲部１２２の先端から一旦斜め前方に延びてカード受容孔１１２内に接触突部１２３ｂが突出し、そして接触突部１２３ｂから折り返されて斜め前方に延び、その先端部１２３ａがコンタクト収容通路１１１内に収容されている。また、接続部１２４は、固定部１２１の他端から延びてコンタクト収容通路１１１外に導出されている。
【０００５】
そして、図８（Ａ）に示すように、カードコネクタ１０１のカード受容孔１１２にカードＣを挿入すると、カードＣが接触部１２３の接触突部１２３ｂに当接し、接触部１２３がカード挿入方向でかつカード受容孔１１２から離れる方向へ押圧される。この場合、図８（Ｂ）〜図８（Ｃ）に示すように、湾曲部１２２が圧縮されて湾曲部分中央部の角度Ｇが減少するので、接触突部１２３ｂがコンタクト収容通路１１１内に収まり、接触部１２３のほぼ全体がコンタクト収容通路１１１とカード受容孔１１２との境界面に位置する。このため、接触部１２３が全面でカードＣに接触することになり、カード挿入時にカードＣが接触部１２３から受ける接触圧が適正に抑えられ、カードＣの挿入に要する力が小さくなる。
【０００６】
その一方、図９（Ａ）に示すように、カードＣをカード受容孔１１２から抜去すると、接触部１２３がカード抜去方向に引きずられる。この場合、図９（Ｂ）〜図９（Ｃ）に示すように、接触部１２３の先端部１２３ａがコンタクト収容通路１１１の前壁に当接し、ここを支点にして接触部１２３の接触突部１２３ｂがカード受容孔１１２に向かって起き上がり、ほぼ点接触に近い状態でカードＣに当たって強く押圧する。このため、カードＣの抜去に要する力が大きくなり、カードコネクタ１０１におけるカードＣの保持力が高くなる。
【０００７】
よって、カードＣの取り扱い性向上とカード保持力の強化によるコネクタ１０１の信頼性向上を両立させることができる。
また、カードの低挿入力を可能とし、カードの脱落を防止したカードコネクタとして、例えば、図１０に示すものも知られている（特許文献２参照）。
このカードコネクタ２０１は、絶縁性のハウジング２１０と、このハウジング２１０に取り付けられた複数のコンタクト２２０と、ハウジング２１０の内側に回動可能に保持されたカードホルダ２３０とを備えている。
【０００８】
ハウジング２１０は、幅方向に延びる基部２１１と、基部２１１の幅方向両端に設けられた側板部２１２ａ，２１２ｂとを有している。側板部２１２ａ，２１２ｂは、カード（図示せず）を挿入する挿入方向（図１０（Ａ）における矢印Ｘ方向）及びカードを抜去する方向（図１０（Ａ）における矢印Ｙ方向）に延び、側板部２１２ａ，２１２ｂの挿入方向後端間は、カードを挿入するためのカード挿入口２１２となっている。側板部２１２ａ，２１２ｂの挿入方向後端上部には、両側板部２１２ａ，２１２ｂを橋渡すブリッジ部２１５が設けられている。また、両側板部２１２ａ，２１２ｂの対向する内面のカード挿入方向略中央部には、カードホルダ２３０を回動可能に支持する支軸部２１３（図１０（Ｂ）において一方のみ図示）が設けられている。更に、両側板部２１２ａ，２１２ｂの対向する内面のカード挿入方向後方よりには、カードをカードホルダ２３０に挿入・抜去することができる第１位置に位置決めするための第１位置決め部（図示せず）と、カード下面に設けられた接点部（図示せず）をコンタクト２２０に接触させることができる第２位置に位置決めするための第２位置決め部２１４とを有している。第１位置決め部は両側板部２１２ａ，２１２ｂの対向する内面の上方部に設けられ、その一方、第２位置決め部２１４は両側板部２１２ａ，２１２ｂの対向する内面の下方部に設けられる。
【０００９】
複数のコンタクト２２０は、ハウジング２１０の基部２１１に幅方向に沿って所定ピッチで取り付けられ、基部２１１の上面から上方に突出するように接触部２２１が設けられている。接触部２１１には、カードが第２位置にあるときに、カードの下面に設けられた接点部が接触するようになっている。
また、カードホルダ２３０は、幅方向に延びるカード載置部２３１と、カード載置部２３１の幅方向両端に折り曲げ形成され、側板部２１２ａ，２１２ｂのそれぞれに対向するように設けられるホルダ側板部２３２ａ，２３２ｂと、側板部２１２ａ，２１２ｂのそれぞれから内側に折り曲げ形成されたガイド片２３３ａ，２３３ｂとを備えている。そして、カードホルダ２３０の両ホルダ側板部２３２ａ，２３２ｂは、ハウジング２１０の側板部２１２ａ，２１２ｂのそれぞれに設けられた支軸２１３に回動可能に取り付けられる。そして、カードホルダ２３０の両ホルダ側板部２３２ａ，２３２ｂには、ハウジング２１０の第１位置決め部に係止される第１係止部（図示せず）と、第２位置決め部２１４に係止される第２係止部とが設けられている。
【００１０】
カードホルダ２３０の第１係止部がハウジング２１０の第１位置決め部に係止された状態は、図１０（Ａ）に示してあり、このときにはカードホルダ２３０はハウジング２１０と略平行になり、カード挿入方向後端側からカードホルダ２３０内にカードを挿入することができる。この際に、カードホルダ２３０の前端部はコンタクト２２０の接触部２２１から離れているので、カードを挿入してもカード接点部とコンタクト２２０の接触部２２１とは接触しない。そのため、カードの挿入力にコンタクト２２０の接触力は影響しないため、小さな力でカードをカードホルダ２３０に挿入することができる。
【００１１】
一方、カードをカードホルダ２３０の所定位置まで挿入した後は、カードの後端を図１０（Ｂ）における矢印Ｚ１方向に持ち上げると、カードホルダ２３０も支軸２１３を支点として一緒に回転させられるため、第２係止部が第２位置決め部２１４に係止され、戻る方向への移動が規制される。これにより、カードホルダ２３０が固定される。カードホルダ２３０の回転によりカードホルダ２３０の前端部は矢印Ｚ２方向へ動き、カードのカード接点とコンタクト２２０の接触部２２１とは接触する。この際、カードの後端部（矢印Ｙで示す抜去方向の後端部）はハウジング２１０のロック部２１６ａ，２１６ｂに引っかかり、カードはロックされる。したがって、カードコネクタ２０１を抜去方向へ傾けてもカードがカードホルダ２３０から脱落することはないのである。
【特許文献１】特開２０００−３５３５５８号公報
【特許文献２】特開２００２−４２９３２号公報
【発明の開示】
【発明が解決しようとする課題】
【００１２】
しかしながら、これら従来のカードコネクタ１０１、２０１にあっては、以下の問題点があった。
即ち、図７に示したカードコネクタ１０１の場合、カードＣをカード受容孔１１２から抜去する際に、コンタクト１２０の接触部１２３の接触突部１２３ｂがほぼ点接触に近い状態でカードＣに当たって強く押圧し、これによりカードＣの抜去に要する力を大きくし、カードＣの保持力を高めている。しかし、コンタクト１２０のばね力のみを利用してカードＣの保持力を高めているにすぎず、未だにカードＣの保持力が不十分で、カードコネクタ１０１に外部から力が加わった場合において、カードＣがカードコネクタ１０１から脱落してしまうおそれがある。また、カードＣの保持力を高めるために、コンタクト１２０のばね力以外を利用していないから、カードコネクタ１０１に外部から力が加わった場合においてコンタクト１２０に負荷が多大にかかり、コンタクト１２０が損傷してしまうことがある。更に、コンタクト１２０のばね力を大きくすると、多数回の挿抜によってカードＣに設けられたカード接点もめっきが削れてしまうなど損傷してしまうことがある。
【００１３】
また、図１０に示したカードコネクタ２０１の場合、カードがカードホルダ２３０から脱落するおそれはなく、かつ、コンタクト２２０が損傷するおそれはないものの、カードを保持するカードホルダ２３０を必要とし、機構が複雑で部品点数も多かった。
従って、本発明は上述の問題点に鑑みてなされたものであり、その目的は、コンタクト及びカード接点を損傷させることなく、カードの挿入に要する力を小さくしながらカードの抜去に要する力を確実に大きくでき、カードの不用意な脱落を防止できる簡単な構成のカードコネクタを提供することにある。
【課題を解決するための手段】
【００１４】
上記問題を解決するため、本発明のうち請求項１に係るカードコネクタは、略平板状に形成されたカード本体の先端に前記カード本体の下面から突出する鍔部を有するカードが挿入されるとともに抜去されるカード受容スロットと、挿入された前記カードのカード接点に接触するコンタクトを有するコネクタ部とを備えたカードコネクタであって、前記カード受容スロットの底部に、前記カード受容スロット内に前記カードが挿入されたときに、前記カードの鍔部が乗り越える弾性突起を設けたことを特徴としている。
【００１５】
また、本発明のうち請求項２に係るカードコネクタは、請求項１記載の発明において、前記弾性突起は、前記カード受容スロットの底部から前記カードの挿入方向に進むにつれて緩やかに傾斜して立ち上がる第１傾斜面と、前記カード受容スロットの底部から前記カードの抜去方向に進むつれて前記第１傾斜面に比して急に傾斜して立ち上がる第２傾斜面とを有することを特徴としている。
【発明の効果】
【００１６】
本発明のうち請求項１に係るカードコネクタによれば、カード受容スロットの底部に、カード受容スロット内にカードが挿入されたときに、カードの鍔部が乗り越える弾性突起を設けたので、カードの挿入の際に弾性突起が弾性変形し、カードの挿入に要する力を小さくすることができる。そして、カードをカード受容スロットから抜去する際には、カードの鍔部が弾性突起を乗り越える必要があるので、カードの抜去に要する力を確実に大きくすることができる。このため、カードの保持力を十分にし、カードコネクタに外部から力が加わった場合において、不用意にカードがカードコネクタから脱落してしまうおそれはなくなる。また、カードを保持するために、コンタクトの弾性力以外を利用しているから、カードコネクタに外部から力が加わった場合においてコンタクトにかかる負荷を最小限にでき、コンタクトの損傷を回避できる。また、多数回の挿抜によってカードに設けられたカード接点もめっきが削れてしまうなど損傷してしまうことはない。更に、カードに鍔部を設け、カード受容スロットの底部に弾性突起を設けることにより、カードの挿入に要する力を小さくしながらカードの抜去に要する力を大きくでき、簡単な構成のカードコネクタとすることができる。
【００１７】
また、本発明のうち請求項２に係るカードコネクタによれば、請求項１記載の発明において、前記弾性突起は、前記カード受容スロットの底部から前記カードの挿入方向に進むにつれて緩やかに傾斜して立ち上がる第１傾斜面を有しているので、カードの挿入に要する力をより一層小さくすることができる。そして、前記弾性突起は、前記カード受容スロットの底部から前記カードの抜去方向に進むつれて前記第１傾斜面に比して急に傾斜して立ち上がる第２傾斜面を有しているので、カードの保持力をより一層高めることができる。
【発明を実施するための最良の形態】
【００１８】
次に本発明の実施形態を図面を参照して説明する。図１は本発明に係るカードコネクタを示し、（Ａ）は平面図、（Ｂ）は正面図である。図２は図１のカードコネクタを示し、（Ａ）は右側面図、（Ｂ）は左側面図である。図３は図１のカードコネクタの底面図である。図４は図１（Ｂ）における４−４線に沿う断面図である。図５は図１（Ｂ）における５−５線に沿う断面図である。図６は図１のカードコネクタの要部の断面を示し、（Ａ）は第１カード挿入前の断面図、（Ｂ）は第１カード挿入後の断面図である。
【００１９】
図１乃至図６において、カードコネクタ１は、第１カードＣ１が図１（Ａ）における矢印Ｘ方向に挿入されるととともに矢印Ｙ方向に抜去される第１カード受容スロット２０と、第１カード受容スロット２０の下側に設けられ、第２カードＣ２が図１（Ａ）における矢印Ｘ方向に挿入されるととともに矢印Ｙ方向に抜去される第２カード受容スロット３０と、挿入された第１カードＣ１及び第２カードＣ２がそれぞれ接続されるコネクタ部１０とを備えている。以後、矢印Ｘ方向をカード挿入方向と呼び、カード挿入方向の奥側を前側、その反対側を後側と呼ぶ。また、矢印Ｙ方向をカード抜去方向と呼ぶ。
【００２０】
第１カードＣ１は、ＰＣＭＣＩＡ規格に準拠したいわゆるエクスプレスカードと呼ばれるメモリカードであって、略平板状の幅広に形成されたカード本体Ｃ１ａの前方右側部を切り欠いた右肩部を有する形状に形成されたタイプのものと、幅狭で両側がストレート形状に形成されたタイプのものとがある。カード本体Ｃ１ａの前端部には、図６に示すように、カード本体Ｃ１ａの下面から突出する鍔部Ｃ１ｂを有している。幅広タイプのエクスプレスカード及び幅狭タイプのエクスプレスカードのコネクタ部分（嵌合部分）は両者に共通であるので、第１カード受容スロット２０には、幅広タイプのエクスプレスカードと幅狭タイプのエクスプレスカードの双方が挿抜可能となっているが、以下、幅広タイプのエクスプレスカードを挿抜する場合について説明する。
【００２１】
また、第２カードＣ２は、ＰＣＭＣＩＡ規格に準拠した従来のＰＣカードである。第２カードＣ２の前端部には、カード本体の下面から突出する鍔部が設けられていない。
ここで、コネクタ部１０は、絶縁性のハウジング１１を有している。ハウジング１１は、第１ハウジング部１２と、第１ハウジング１２の下側に設けられた第２ハウジング１３と備えている。
【００２２】
第１ハウジング部１２は、上下方向において第１カード受容スロット２０に対応する位置であって、第１カード受容スロット２０の前側に設けられている。そして、第１ハウジング部１２は、図４乃至図６に示すように、カード挿入方向に延びる複数の第１コンタクト１５を取り付けた略矩形状体１４を収容する収容部１２ａと、この収容部１２ａの右側（図４における右側）に設けられ、第１カードＣ１の前端側の右側面（図１（Ａ）における第１カードＣ１の前端側の右側面）の挿抜を案内する案内部１２ｂとを備えている。案内部１２ｂは、収容部１２ａに対して後方に向けて突出するように形成されている。また、収容部１２ａには、後方に突出する板状のプラットフォーム部１２ｃが形成されている。更に、案内部１２ｂの後側には、幅狭で両側がストレート形状に形成された第１カードＣ１をコネクタ部１０に誘導するためのガイド斜面１２ｄが形成されている。また、各第１コンタクト１５は、後端側に、挿入された第１カードＣ１のカード接点（図示せず）に弾性接触する弾性接触部１５ａを設け、前端側が中継基板１８に半田接続されるようになっている。弾性接触部１５ａは、プラットフォーム部１２ｃの下側に露出するように配置される。
【００２３】
一方、第２ハウジング部１３は、上下方向において第２カード受容スロット３０に対応する位置であって、第２カード受容スロット３０の前側に設けられている。第２ハウジング１３には、カード挿入方向に延びる複数の第２コンタクト１６が取り付けられている。各第２コンタクト１６の後端部は挿入された第２カードＣ２に設けられたコンタクト（図示せず）に接触し、前端部は中継基板１８に半田接続されるようになっている。ハウジング１１には、該ハウジング１１を回路基板（図示せず）上にねじ固定するためのねじ孔１７が設けられている。
【００２４】
また、第１カード受容スロット２０は、第１カード受容スロット２０と第２カード受容スロット３０とを仕切る仕切りフレーム２１と、第１ハウジング部１２を構成する収容部１２ａの左端部から後方に延びる左ガイドアーム部２２と、第１ハウジング部１２及び左ガイドアーム部２２の上方を覆うように取り付けられたトップシェル２３と、トップシェル２３の右縁から下方に折り曲げられた右側板部２３ａとで構成されている。仕切りフレーム２１は、第１ハウジング部１２の下方部に取り付けられて後方に向けて延びている。左ガイドアーム部２２は、第１カードＣ1 の左側面の挿抜を案内する機能を有する。第１カードＣ１が第１カード受容スロット２０内に挿入及び抜去されるときには、左ガイドアーム部２２の内側面が第１カードＣ１の左側面を案内し、第１ハウジング部１２の案内部１２ｂ及び右側板部２３ａの内側面が第１カードＣ１の右側面を案内するようになっている。仕切りフレーム２１及びトップシェル２３は、金属板を打ち抜き及び曲げ加工することによって形成される。
【００２５】
第１受容スロット２０を構成する仕切りフレーム（第１受容スロットの底部）２１の前端部には、図４乃至図６に示すように、第１カード受容スロット２０内に第１カードＣ１が挿入されたときに、第１カードＣ１の鍔部Ｃ１ｂが乗り越える複数の弾性突起２４が上方に向けて突出形成されている。各弾性突起２４は、図６に示すように、仕切りフレーム２１からカードの挿入方向に進むにつれて緩やかに傾斜して立ち上がる第１傾斜面２４ａと、仕切りフレーム２１からカード抜去方向に進むつれて急に傾斜して立ち上がる第２傾斜面２４ｂとを有している。第１傾斜面２４ａの頂点と第２傾斜面２４ｂの頂点とはつながっており、各弾性突起２４は、側方から見て非対称の三角形状に形成されている。なお、弾性突起２４の高さは、上下方向のガタと、鍔部Ｃ１ｂの高さに対するコンタクト１５の変形量及び弾性突起２４の変形量とを考慮して決定される。そして、このように決定された弾性突起２４の高さに対して、第１傾斜面２４ａの仕切りフレーム２１に対する傾斜角度を１５度程度とし、第２傾斜面２４ｂの仕切りフレーム２１に対する傾斜角度を６０度程度とすることが好ましい。
【００２６】
更に、第２カード受容スロット３０は、第１カード受容スロット２０と第２カード受容スロット３０とを仕切る前記仕切りフレーム２１と、第２ハウジング部１３の左端部から後方に延びる左ガイドアーム部３２と、第２ハウジング１３及び左ガイドアーム部３２の下方を覆うように取り付けられたボトムシェル３１と、ボトムシェル３１の右縁から上方に折り曲げられた右側板部３１ａとで構成されている。左ガイドアーム部３２は、第２カードＣ２の左側面の挿抜を案内する機能を有し、右側板部３１ａは第２カードＣ２の右側面の挿抜を案内する機能を有する。したがって、第２カードＣ２が第２カード受容スロット３０内に挿入及び抜去されるときには、左ガイドアーム部３２の内側面が第２カードＣ２の左側面を案内し、右側板部３１ａの内側面が第２カードＣ２の右側面を案内するようになっている。ボトムフレーム３１は、金属板を打ち抜き及び曲げ加工することによって形成される。ボトムフレーム３１には、このボトムフレーム３１を回路基板（図示せず）に固定するための固定部３１ｃが設けられている。
【００２７】
また、第２受容スロット３０の左ガイドアーム部３２の左外側には、第２カード排出手段５０が設置されている。第２カード排出手段５０は、第２ハウジング部１３に回動可能に配置された回動アーム５１と、左ガイドアーム部３２の側面に沿ってカード挿入方向及びカード排出方向に移動可能な押圧バー５２と、押圧バー５２に回動可能に軸支され、第２カードＣ２の排出時に回動アーム５１を押圧して回動させる押圧プレート５４とを具備している。回動アーム５１は、回動により、挿入された第２カードＣ２をカード抜去方向に排出するようになっている。また、押圧バー５２には、押圧ボタン５３が設けられている。
【００２８】
次に、仕切りフレーム２１に設けられた弾性突起２４の作用について、図６を参照して説明する。
図６（Ａ）に示す状態から図６（Ｂ）に示すように、第１カード受容スロット２０に第１カードＣ１が挿入されるときには、第１カードＣ１の前端部に形成された鍔部Ｃ１ｂが弾性突起２４の第１傾斜面２４ａに当接し、第１傾斜面２４ａに沿って弾性突起２４を押し下げつつ前進し、弾性突起２４を乗り越える。鍔部Ｃ１ｂが弾性突起２４を乗り越えると、第１カードＣ１の挿入が完了し、弾性突起２４が元の位置に復元する。弾性突起２４が弾性変形をするので、第１カードＣ１の挿入に要する力を小さくすることができる。そして、弾性突起２４の第１傾斜面２４ａは、仕切りフレーム２１からカード挿入方向に進むにつれて緩やかに傾斜して立ち上がるようになっているので、第１カードＣ１の挿入に要する力をより一層小さくすることができる。その一方、第１カードＣ１の挿入が完了したときには、複数の第１コンタクト１５の弾性接触部１５ａが第１カードＣ１のカード接点に弾性接触し、カード接点と第１コンタクト１５との電気的接続が達成される。
【００２９】
そして、第１カードＣ１を第１カード受容スロット２０から抜去するときには、第１カードＣ１が抜去方向に動き出す。そして、第１カードＣ１の鍔部Ｃ１ｂが弾性突起２４の第２傾斜面２４ｂに当接し、第２傾斜面２４ｂに沿って弾性突起２４を押し下げつつ後退し、弾性突起２４を乗り越える。鍔部Ｃ１ｂが弾性突起２４を乗り越えると、第１カードＣ１の排出が完了する。第１カードＣ１を第１カード受容スロット２０から抜去する際には、鍔部Ｃ１ｂが弾性突起２４を乗り越える必要があるので、第１カードＣ１の抜去に要する力を確実に大きくすることができる。このため、第１カードＣ１の保持力を十分にし、カードコネクタ１に外部から力が加わった場合において、不用意に第１カードＣ１がカードコネクタ１から脱落してしまうおそれはなくなる。また、第１カードＣ１を保持するために、第１コンタクト１５の弾性力以外を利用しているから、カードコネクタ１に外部から力が加わった場合において第１コンタクト１５にかかる負荷を最小限にでき、第１コンタクト１５の損傷を回避できる。また、多数回の挿抜によって第１カードＣ１に設けられたカード接点もめっきが削れてしまうなど損傷してしまうことはない。そして、第１カードＣ１の鍔部Ｃ１ｂが弾性突起２４を乗り越える必要があるようにし、これだけで第１カードＣ１の保持力を十分に高めることができるので、第１カードＣ１の保持力を高めるために弾性突起２４以外に、例えば、第１カードＣ１の側面に弾性接触する部材を設ける必要はない。
【００３０】
そして、弾性突起２４の第２傾斜面２４ｂは、仕切りフレーム２１からカード抜去方向に進むつれて第１傾斜面２４ａに対して急に傾斜して立ち上がるので、第１カードＣ１の鍔部Ｃ１ｂが弾性突起２４を乗り越えるときにより一層大きな力を要し、第１カードＣ１の保持力をより一層高めることができる。
なお、第１カードＣ１の挿抜力の調整は、弾性突起２４の数や弾性突起２４の幅２４ｃを変えることにより容易に行うことができる。弾性突起２４を第１カード受容スロット２０の底部に設けていることから、このような自由度があるのであり、弾性突起２４を第１カード受容スロット２０の側面に配置した場合にはこのような自由度がないのである。
【００３１】
以上、本発明の実施形態について説明してきたが、本発明はこれに限定されずに、種々の変更、改良を行うことができる。
例えば、カードコネクタ１は、第１カード受容スロット２０を第２カード受容スロット３０の下側に配置するようにしてもよいし、第２カード受容スロット３０を設けずに第１カード受容スロット２０単独としてもよいし、また、第１カード受容スロット２０を上下２段に配置してもよい。
【００３２】
また、第２カード受容スロット３０の底部を構成するボトムフレーム３１に、第２カード受容スロット３０内に第２カードＣ２が挿入されたときに、第２カードＣ２の鍔部が乗り越える弾性突起を設けてもよい。
また、弾性突起２４は、第１カードＣ１の鍔部Ｃ１ｂが乗り越えるときに弾性的に変形するものであれば、仕切りフレーム２１からカード挿入方向に進むにつれて緩やかに傾斜して立ち上がる第１傾斜面２４ａと、仕切りフレーム２１からカード抜去方向に進むつれて急に傾斜して立ち上がる第２傾斜面２４ｂとを有するものに限られない。
【００３３】
更に、第１受容スロット２０の左ガイドアーム部２２の左外側にも、第１カード排出手段４０を配置してもよい。この場合、第１カード排出手段４０は、第１ハウジング部１２に回動可能に配置された回動アーム４１と、左ガイドアーム部２２の側面に沿ってカード挿入方向及びカード排出方向に移動可能な押圧バー４２と、押圧バー４２に回動可能に軸支され、第１カードＣ１の排出時に回動アーム４１を押圧して回動させる押圧プレート４４とを備えればよい。回動アーム４１は、回動により、挿入された第１カードＣ１をカード抜去方向に排出するようにする。そして、押圧バー４２に、押圧ボタン４３を設ける。
なお、第１カード受容スロット２０に第１カードＣ１を裏返しに挿入する場合には、弾性突起２４をトップシェル２３に設けることができる。
【図面の簡単な説明】
【００３４】
【図１】本発明に係るカードコネクタを示し、（Ａ）は平面図、（Ｂ）は正面図である。
【図２】図１のカードコネクタを示し、（Ａ）は右側面図、（Ｂ）は左側面図である。
【図３】図１のカードコネクタの底面図である。
【図４】図１（Ｂ）における４−４線に沿う断面図である。
【図５】図１（Ｂ）における５−５線に沿う断面図である。
【図６】図１のカードコネクタの要部の断面を示し、（Ａ）は第１カード挿入前の断面図、（Ｂ）は第１カード挿入後の断面図である。
【図７】カードの低挿入力及び高抜去力を可能とした従来のカードコネクタの断面図である。
【図８】図７に示すカードコネクタのカード受容孔にカードを挿入するときの作用を説明するための図である。
【図９】図７に示すカードコネクタのカード受容孔からカードを抜去するときの作用を説明するための図である。
【図１０】カードの低挿入力を可能とし、カードの脱落を防止した従来のカードコネクタを示し、（Ａ）はカードホルダが第１位置に位置するときの斜視図、（Ｂ）はカードホルダが第２位置に位置するときの斜視図である。
【符号の説明】
【００３５】
１  カードコネクタ
１０  コネクタ部
１５  第１コンタクト（コンタクト）
２０  第１カード受容スロット（カード受容スロット）
２１  仕切りフレーム（カード受容スロットの底部）
２４  弾性突起
２４ａ  第１傾斜面
２４ｂ  第２傾斜面
Ｃ１  第１カード（カード）
Ｃ１ａ  カード本体
Ｃ１ｂ  鍔部
【図１】
2006190612.tif 000003
【図２】
2006190612.tif 000004
【図３】
2006190612.tif 000005
【図４】
2006190612.tif 000006
【図５】
2006190612.tif 000007
【図６】
2006190612.tif 000008
【図７】
2006190612.tif 000009
【図８】
2006190612.tif 000010
【図９】
2006190612.tif 000011
【図１０】
2006190612.tif 000012